(57)【要約】【課題】コストを抑えつつ、送信周波数の変更先の検出中おいても放送内容を継続的に視聴することができる「車載用テレビ放送送信装置」を提供すること。【解決手段】特定の受信手段４を、地上デジタル放送のダイバーシティ受信と、受信した地上デジタル放送の放送信号をアナログテレビ信号に変換して車載用地上アナログ放送受信装置に送信するための送信周波数の変更先として利用可能な特定の帯域を検出する周波数スキャンとの双方に選択的に利用し、周波数スキャンの期間中に、他の受信手段３に地上デジタル放送を引き続き受信させること。【選択図】図１
2012119753.tif 000002
【特許請求の範囲】
【請求項１】
車両に搭載され、
選択された受信周波数に該当する地上デジタル放送の放送信号を受信する複数の受信手段と、
これら複数の受信手段によってそれぞれ受信された前記放送信号をダイバーシティ合成するダイバーシティ合成手段と、
このダイバーシティ合成手段によって合成された前記放送信号を、所定の周波数範囲に属する設定された送信周波数のアナログテレビ信号に変換する変換手段と、
この変換手段によって変換された前記アナログテレビ信号を車載用地上アナログ放送受信装置に送信する送信手段と
を備えた車載用テレビ放送送信装置であって、
前記複数の受信手段には、前記所定の周波数範囲に属する周波数に該当する放送信号を受信可能とされた特定の受信手段が含まれており、
前記送信周波数の変更先を検出すべき所定のイベントが発生した場合に、前記特定の受信手段を用いた前記ダイバーシティ合成を解除するように前記ダイバーシティ合成手段を制御する制御手段と、
この制御手段の制御によって前記ダイバーシティ合成の解除が行われた上で、前記特定の受信手段を用いて、前記所定の周波数範囲の中から前記送信周波数の変更先として利用可能な特定の帯域を検出する周波数スキャンを行うスキャン手段と、
このスキャン手段の前記周波数スキャンによって検出された前記特定の帯域を、前記変換手段に設定されている前記送信周波数に代えて新たな前記送信周波数として前記変換手段に設定することによって、前記送信周波数の変更を行う変更手段と
を備え、
前記周波数スキャンの期間中に、前記複数の受信手段における前記特定の受信手段以外の他の受信手段は、前記周波数スキャンの開始直前に受信していた前記放送信号を引き続き受信し、前記変換手段は、前記他の受信手段によって引き続き受信された前記放送信号を、前記周波数スキャンの開始直前に設定されていたままの前記送信周波数の前記アナログテレビ信号に変換すること
を特徴とする車載用テレビ放送送信装置。
【請求項２】
前記制御手段は、前記変更手段による前記送信周波数の変更が行われた場合に、前記特定の受信手段を用いたダイバーシティ合成を再開するように前記ダイバーシティ合成手段を制御すること
を特徴とする請求項１に記載の車載用テレビ放送再生装置。
【請求項３】
前記周波数スキャンが完了したことを契機として、前記周波数スキャンによって前記特定の帯域が検出されたことを通知するとともに前記送信周波数を当該特定の帯域に変更する変更操作を促すための第１の画像を生成する第１の画像生成手段を備え、
前記変換手段は、前記第１の画像生成手段によって生成された前記第１の画像を、前記周波数スキャンの開始直前に設定されていたままの前記送信周波数と同一の送信周波数の第１のアナログ映像信号に変換し、
前記送信手段は、前記変換手段によって変換された前記第１のアナログ映像信号を前記車載用地上アナログ放送受信装置に送信し、
前記変更手段は、前記送信周波数の変更を前記変更操作に応じて行うこと
を特徴とする請求項１または請求項２に記載の車載用テレビ放送送信装置。
【請求項４】
前記変更手段は、前記送信周波数の変更を、前記周波数スキャンが完了したことを契機としてユーザ操作を待つことなく行うこと
を特徴とする請求項１または請求項２に記載の車載用テレビ放送送信装置。
【請求項５】
前記変更手段は、前記周波数スキャンによって検出された前記特定の帯域が複数存在する場合には、これら複数の特定の帯域のうちの所定の優先順位が最上位の１つの特定の帯域を、前記新たな送信周波数とすること
を特徴とする請求項４に記載の車載用テレビ放送送信装置。
【請求項６】
前記周波数スキャンが完了したことを契機として、前記送信周波数を前記周波数スキャンによって検出された前記特定の帯域に変更することを通知するための第２の画像を生成する第２の画像生成手段を備え、
前記変換手段は、前記第２の画像生成手段によって生成された前記第２の画像を、前記周波数スキャンの開始直前に設定されていたままの前記送信周波数と同一の送信周波数の第２のアナログ映像信号に変換し、
前記送信手段は、前記変換手段によって変換された前記第２のアナログ映像信号を前記車載用地上アナログ放送受信装置に送信すること
を特徴とする請求項４または請求項５に記載の車載用テレビ放送送信装置。
【請求項７】
前記所定のイベントは、前記送信周波数の変更先の検出を指示する操作を含むこと
を特徴とする請求項１乃至請求項６のいずれか１項に記載の車載用テレビ放送送信装置。
【請求項８】
前記所定の周波数範囲は、ＶＨＦ帯であり、
前記特定の帯域は、ＶＨＦ帯における放送に用いられていない空き帯域であること
を特徴とする請求項１乃至請求項７のいずれか１項に記載の車載用テレビ放送送信装置。
【発明の詳細な説明】
【技術分野】
【０００１】
本発明は、車載用テレビ放送送信装置に係り、特に、地上デジタル放送の放送信号をアナログテレビ信号に変換した上で車載用地上アナログ放送受信装置に送信するのに好適な車載用テレビ放送送信装置に関する。
【背景技術】
【０００２】
現在、来年（２０１１年）７月に予定されている地上アナログ放送の停波に向けて、車載用地上デジタル放送受信機が普及してきている。
【０００３】
しかし、現在も、市場および各家庭には、依然として車載用地上アナログ放送受信機を搭載した車両が数多く存在する。特に、純正品として車載用地上アナログ放送受信機を搭載している車両の場合には、車両のコンソールパネルの取り外しやカーナビ本体の取り出し等の作業に手間やコストを要するため、簡単に車載用地上デジタル放送受信機に交換することはできない。
【０００４】
そこで、このような既存の車載用地上アナログ放送受信機を地上デジタル放送の視聴に用いることを可能とする手段として、地上デジタル放送の放送信号を受信し、受信された放送信号をアナログテレビ信号に変換して地上アナログ放送受信機に送信（転送）する車載用テレビ放送送信機が提案されるようになった。この車載用テレビ放送送信機は、その送信用アンテナを車載用地上アナログ放送受信機の受信用アンテナに近接させた状態で車内に設置されるようになっている。
【０００５】
例えば、特許文献１においては、この種の車載用テレビ放送送信機として、地上デジタル放送を受信する受信機と受信した映像信号および音声信号をアナログテレビ信号に変換して地上アナログ放送受信機に送信する送信機とを一体化させた地上デジタルテレビ放送変換装置が提案されている。
【０００６】
また、実際に製品化されている車載用テレビ放送送信機の一例としては、マスプロ電工株式会社製のアナログカーテレビ用ワンセグセットがある（非特許文献１参照）。
【先行技術文献】
【特許文献】
【０００７】
【特許文献１】実用新案登録第３１３６１５４号
【特許文献２】特開２００７−１７４４４５号公報
【非特許文献】
【０００８】
【非特許文献１】インターネット＜http://www.maspro.co.jp/new_prod/movt2/index.html＞
【発明の概要】
【発明が解決しようとする課題】
【０００９】
ところで、日本では、微弱無線局の規定（電波法第４条第１号）により、無線局の免許を要することなく利用することが許容された許容送信電力（許容電界強度）が、各周波数帯域ごとに定められている。具体的には、３００ＭＨｚ〜３ＧＨｚの極超短波（ＵＨＦ：Ultra High Frequency）帯のうち、地上デジタル放送および地上アナログ放送に用いられている周波数帯（４７０〜７７０ＭＨｚ）においては、許容送信電力が３５μＶ／ｍ以下と定められている。一方、地上アナログ放送のみに用いられている超短波（ＶＨＦ：Very High Frequency）帯においては、許容送信電力が５００μＶ／ｍ以下と定められている。
【００１０】
このような微弱無線局の規定によれば、車載用テレビ放送送信機によって地上デジタル放送の放送信号をアナログテレビ信号に変換して車載用地上アナログ放送受信機に送信する際に、送信周波数として前述したＵＨＦ帯を用いることは、許容送信電力が極めて小さいため困難である。したがって、アナログテレビ信号の送信周波数としては、許容送信電力が比較的大きいＶＨＦ帯を用いることが現実的となっている。
【００１１】
しかし、アナログテレビ信号の送信周波数としてＶＨＦ帯を用いる場合においも、許容送信電力が十分に大きいわけではないので、同じＶＨＦ帯（同一チャンネルまたは隣接チャンネル）を用いている地上アナログ放送の妨害（混信）によって、車載用テレビ放送送信機から送信されたアナログテレビ信号を車載用地上アナログ放送受信機側で良好に受信することができない場合も多い。また、車両に搭載される構成上、車両の移動にともなって電波状況も変化し得るため、このような妨害の可能性は絶えず付きまとうことになる。なお、地上アナログ放送は停波されることが決定されているため、このような地上アナログ放送による妨害の影響は将来的には無くなるが、地上アナログ放送の停波後には、停波によって空いたＶＨＦ帯をテレビジョン以外の放送（例えば、マルチメディア放送）に用いることが計画されているため、将来的には、この新たな放送が妨害となることが懸念される。
【００１２】
このような妨害を受けた場合には、車載用地上アナログ放送受信機側で出力される映像および音声は、ノイズ混じりで視聴しづらい映像・音声となってしまう。こうなった場合に、ユーザは、車載用テレビ放送送信機の送信周波数（チャンネル）を変更するとともに、車載用地上アナログ放送受信機の受信周波数（チャンネル）を送信周波数の変更先と同一の周波数に変更して、視聴中の映像・音声を良好に視聴できるチャンネルを探し出すことは可能であった。
【００１３】
さらに、このような送信周波数および受信周波数の変更を行ったとしても、変更先の周波数に該当する帯域に妨害電波（妨害チャンネル）が存在するか否かは実際にその周波数に変更して受信確認してみないと分からなかったため、地域によっては、送信周波数の変更と受信周波数の変更とを何度も繰り返さなければならない場合があった。
【００１４】
そこで、このようなチャンネル変更操作の煩雑さを解消し得る構成として、例えば、図７および図８にそれぞれ示す車載用テレビ放送送信機１，２を考えることができる。
【００１５】
ここで、図７の車載用テレビ放送送信機１について先に説明すると、この車載用テレビ放送送信機１は、第１のチューナ３および第２のチューナ４を有しており、これらはいずれもＵＨＦ帯／ＶＨＦ帯兼用チューナとされている。
【００１６】
各チューナ３，４は、通常は、ＵＨＦ帯を用いて放送されている地上デジタル放送の電波（放送波）を、各チューナ３，４にそれぞれ接続された受信用アンテナ３ａ，４ａを介して受信するようになっている。そして、各チューナ３，４は、受信された電波から、選択された受信周波数（チャンネル）に該当する放送信号を抽出し、抽出された放送信号を後段に出力するようになっている。
【００１７】
各チューナ３，４の後段には、ＯＦＤＭ（Orthogonal Frequency Division Multiplexing）復調器５が接続されており、このＯＦＤＭ復調器５には、各チューナ３，４からそれぞれ出力された放送信号が入力されるようになっている。そして、ＯＦＤＭ復調器５は、入力された各チューナ３，４ごとの放送信号をそれぞれＯＦＤＭ復調することによって、各チューナ３，４に対応するトランスポートストリームを取得するようになっている。このＯＦＤＭ復調器５によるＯＦＤＭ復調は、誤り訂正をともなう。
【００１８】
ＯＦＤＭ復調器５には、ダイバーシティ合成部９が内蔵されており、このダイバーシティ合成部９には、ＯＦＤＭ復調によって取得された各チューナ３，４に対応するトランスポートストリームが入力されるようになっている。そして、ダイバーシティ合成部９は、入力された第１のチューナ３に対応するトランスポートストリームの位相を位相器９ａによって制御した上で、この位相が制御された第１のチューナ３に対応するトランスポートストリームと、入力された第２のチューナ４に対応するトランスポートストリームとを、合成器９ｂにおいてダイバーシティ合成するようになっている。このときのダイバーシティの方式としては、公知の最大比合成方式が用いられる。このようなダイバーシティ合成を行う場合には、１つのチューナのみを用いる場合（ダイバーシティ合成を行わない場合）に比べてフルセグを良好に受信することができる可能性が高くなる。このようにしてダイバーシティ合成されたトランスポートストリーム（図７におけるＴＳ）は、ＯＦＤＭ復調器５の後段に出力される。
【００１９】
ＯＦＤＭ復調器５の後段には、ＭＰＥＧデコーダ６が接続されており、このＭＰＥＧデコーダ６には、ＯＦＤＭ復調器５から出力されたトランスポートストリームが入力されるようになっている。そして、ＭＰＥＧデコーダ６は、入力されたトランスポートストリームを多重を解除した上でデコードすることによって映像信号および音声信号（図７におけるVideo/Audio）を取得し、取得された映像信号および音声信号を後段に出力するようになっている。
【００２０】
ＭＰＥＧデコーダ６の後段には、ＶＨＦトランスミッタ７が接続されており、このＶＨＦトランスミッタ７には、ＭＰＥＧデコーダ６から出力された映像信号および音声信号が入力されるようになっている。そして、ＶＨＦトランスミッタ７は、入力された映像信号および音声信号をＮＴＳＣ（National Television System Committee）方式のアナログ信号に変換し、更に、この変換されたアナログ信号を、アナログ変調によってＶＨＦ帯における設定された送信周波数（１ｃｈ〜１２ｃｈのいずれか）のアナログテレビ信号（高周波信号）に変換するようになっている。さらに、ＶＨＦトランスミッタ７は、変換されたアナログテレビ信号を、送信用アンテナ８を介して車載用地上アナログ放送受信機１０に送信するようになっている。
【００２１】
車載用地上アナログ放送受信機１０側では、ＶＨＦトランスミッタ７に設定された送信周波数と同一の受信周波数を不図示のアナログチューナに設定した上で、車載用テレビ放送送信機１から送信されたアナログテレビ信号を受信用アンテナ１０ａを介して受信して、復調およびデコード等の処理を行うことによって、車載用テレビ放送送信機１側で受信された地上デジタル放送の放送内容に相当する映像・音声を出力することができる。
【００２２】
ここで、ＶＨＦトランスミッタ７に設定されている送信周波数に該当する帯域に妨害電波が存在する場合には、車載用地上アナログ放送受信機１０側では、アナログテレビ信号とともに妨害電波が受信されることになる。妨害電波が地上アナログ放送の放送波の場合には、車載用地上アナログ放送受信機１０によって表示される映像は、視聴局（地上デジタル放送）の放送映像と妨害局（地上アナログ放送）の放送映像（ノイズ）とが重なった映像に見えることになる。妨害電波が将来的（地上アナログ放送の停波後）にテレビジョン以外の放送の放送波となる場合には、車載用地上アナログ放送受信機１０側で表示される映像は、スノーノイズ（砂嵐）混じりの視聴局の放送映像となることが予想される。また、このような妨害電波によるノイズは、映像だけでなくホワイトノイズとして音声にも生じることになる。
【００２３】
図７の車載用テレビ放送送信機１には、このような車載用地上アナログ放送受信機１０側で出力される映像・音声のノイズに基づいて現在の送信周波数に該当する帯域に妨害が生じていると判断したユーザが、送信周波数の変更先の検出を指示する操作（以下、検出指示操作と称する）を行うことが可能とされている。
【００２４】
この検出指示操作が行われた場合に、車載用テレビ放送送信機１は、両チューナ３，４を用いて、ＶＨＦ帯の中から放送が行われていない空きチャンネルを検出するＶＨＦスキャンを行うようになっている。ＶＨＦスキャンにおいては、ＶＨＦ帯に割り当てられている各チャンネル（１ｃｈ〜１２ｃｈ）をスキャン先として、例えば、チャンネル番号の昇順にしたがって順次各チャンネルの電界強度を調べて行き、電界強度が閾値以下（もしくは閾値未満）のチャンネルを空きチャンネルとして決定する。
【００２５】
そして、車載用テレビ放送送信機１は、ＶＨＦスキャンが完了すると、検出された空きチャンネルを、ＶＨＦトランスミッタ７に設定されている現在の送信周波数に代えて新たな送信周波数としてＶＨＦトランスミッタ７に設定し直すことによって、送信周波数の変更を行うようになっている。
【００２６】
このような車載用テレビ放送送信機１によれば、ＶＨＦスキャンによって自動的に空きチャンネルを検出することができるので、前述したチャンネル変更操作を行う手間が軽減されることになる。
【００２７】
しかしながら、このような車載用テレビ放送送信機１においては、すべてのチューナ３，４をＶＨＦスキャンに用いているため、ＶＨＦスキャンの期間中には、地上デジタル放送に用いられているＵＨＦ帯を受信できなくなってしまう。
【００２８】
したがって、図７の車載用テレビ放送送信機１には、ＶＨＦスキャン期間の開始直前まで車載用地上アナログ放送受信機１０側で視聴していた地上デジタル放送の放送内容（すなわち、アナログテレビ信号の映像・音声）を、ＶＨＦスキャン期間中に車載用地上アナログ放送受信機１０側で継続して視聴することができないといった欠点がある。
【００２９】
これに対して、図８の車載用テレビ放送送信機２においては、このような図７の車載用テレビ放送送信機１の欠点が克服されている。
【００３０】
すなわち、図８の車載用テレビ放送送信機２は、ＶＨＦスキャン専用チューナ１１（ＶＨＦ専用チューナ）と、これに対応するＯＦＤＭ復調器１２とを有している。また、図８の車載用テレビ放送送信機２においては、第１のチューナ３および第２のチューナ４が、いずれもＵＨＦ専用チューナとされている。
【００３１】
このような図８の車載用テレビ放送送信機２には、図７の構成と同様に、ユーザが検出指示操作を行うことが可能とされている。
【００３２】
ただし、図８の車載用テレビ放送送信機２は、図７の構成とは異なり、検出指示操作に応じたＶＨＦスキャンを、ＶＨＦスキャン専用チューナ１１を用いて行うようになっている。
【００３３】
したがって、図８の車載用テレビ放送送信機２は、ＶＨＦスキャン期間中にも第１のチューナ３および第２のチューナ４によってＵＨＦ帯を受信することができるので、ＶＨＦスキャン期間中においても、ノイズ混じりではあるものの地上デジタル放送の放送内容の継続的な視聴が可能となっている。
【００３４】
しかるに、このような図８の構成においては、ＶＨＦスキャンの専用のチューナ１１が必要となるため、コストが高くなるといった図７の構成とは異なる欠点がある。
【００３５】
そこで、本発明は、このような点に鑑みなされたものであり、コストを抑えつつ、送信周波数の変更先の検出中おいても車載用地上アナログ放送受信装置側で放送内容を継続的に視聴することができる車載用テレビ放送送信装置を提供することを目的とするものである。
【課題を解決するための手段】
【００３６】
前述した目的を達成するため、本発明に係る車載用テレビ放送送信装置は、車両に搭載され、選択された受信周波数に該当する地上デジタル放送の放送信号を受信する複数の受信手段と、これら複数の受信手段によってそれぞれ受信された前記放送信号をダイバーシティ合成するダイバーシティ合成手段と、このダイバーシティ合成手段によって合成された前記放送信号を、所定の周波数範囲に属する設定された送信周波数のアナログテレビ信号に変換する変換手段と、この変換手段によって変換された前記アナログテレビ信号を車載用地上アナログ放送受信装置に送信する送信手段とを備えた車載用テレビ放送送信装置であって、前記複数の受信手段には、前記所定の周波数範囲に属する周波数に該当する放送信号を受信可能とされた特定の受信手段が含まれており、前記送信周波数の変更先を検出すべき所定のイベントが発生した場合に、前記特定の受信手段を用いた前記ダイバーシティ合成を解除するように前記ダイバーシティ合成手段を制御する制御手段と、この制御手段の制御によって前記ダイバーシティ合成の解除が行われた上で、前記特定の受信手段を用いて、前記所定の周波数範囲の中から前記送信周波数の変更先として利用可能な特定の帯域を検出する周波数スキャンを行うスキャン手段と、このスキャン手段の前記周波数スキャンによって検出された前記特定の帯域を、前記変換手段に設定されている前記送信周波数に代えて新たな前記送信周波数として前記変換手段に設定することによって、前記送信周波数の変更を行う変更手段とを備え、前記周波数スキャンの期間中に、前記複数の受信手段における前記特定の受信手段以外の他の受信手段は、前記周波数スキャンの開始直前に受信していた前記放送信号を引き続き受信し、前記変換手段は、前記他の受信手段によって引き続き受信された前記放送信号を、前記周波数スキャンの開始直前に設定されていたままの前記送信周波数の前記アナログテレビ信号に変換することを特徴としている。そして、このような構成によれば、特定の受信手段を、地上デジタル放送のダイバーシティ受信および周波数スキャンの双方に選択的に利用することができるとともに、周波数スキャンの期間中に、他の受信手段に地上デジタル放送を引き続き受信させることができるので、周波数スキャン専用のチューナを要することなく、周波数スキャン期間中に、この期間の開始直前まで視聴していた放送内容を継続して視聴することができる。
【００３７】
また、前記制御手段は、前記変更手段による前記送信周波数の変更が行われた場合に、前記特定の受信手段を用いたダイバーシティ合成を再開するように前記ダイバーシティ合成手段を制御してもよい。そして、このような構成によれば、送信周波数が変更された後には、再びダイバーシティ合成によって画質および音質が高い放送内容を視聴することができる。
【００３８】
さらに、前記周波数スキャンが完了したことを契機として、前記周波数スキャンによって前記特定の帯域が検出されたことを通知するとともに前記送信周波数を当該特定の帯域に変更する変更操作を促すための第１の画像を生成する第１の画像生成手段を備え、前記変換手段は、前記第１の画像生成手段によって生成された前記第１の画像を、前記周波数スキャンの開始直前に設定されていたままの前記送信周波数と同一の送信周波数の第１のアナログ映像信号に変換し、前記送信手段は、前記変換手段によって変換された前記第１のアナログ映像信号を前記車載用地上アナログ放送受信装置に送信し、前記変更手段は、前記送信周波数の変更を前記変更操作に応じて行ってもよい。そして、このような構成によれば、車載用地上アナログ放送受信装置側で第１の画像を適切に表示させることができるので、送信周波数の変更先が検出されたことをユーザに確実に把握させた上で、ユーザの意思を反映させた送信周波数の変更を行うことができる。
【００３９】
さらにまた、前記変更手段は、前記送信周波数の変更を、前記周波数スキャンが完了したことを契機としてユーザ操作を待つことなく行ってもよい。そして、このような構成によれば、送信周波数の変更を自動的に行うことができる。また、この場合において、前記変更手段は、前記周波数スキャンによって検出された前記特定の帯域が複数存在する場合には、これら複数の特定の帯域のうちの所定の優先順位が最上位の１つの特定の帯域を、前記新たな送信周波数としてもよい。そして、このような構成によれば、変更先が複数存在する場合には、最適な変更先を自動的に選択することができる。さらに、この場合において、前記周波数スキャンが完了したことを契機として、前記送信周波数を前記周波数スキャンによって検出された前記特定の帯域に変更することを通知するための第２の画像を生成する第２の画像生成手段を備え、前記変換手段は、前記第２の画像生成手段によって生成された前記第２の画像を、前記周波数スキャンの開始直前に設定されていたままの前記送信周波数と同一の送信周波数の第２のアナログ映像信号に変換し、前記送信手段は、前記変換手段によって変換された前記第２のアナログ映像信号を前記車載用地上アナログ放送受信装置に送信してもよい。そして、このような構成によれば、車載用地上アナログ放送受信装置側で第２の画像を適切に表示させることができるので、送信周波数が変更されることを変更先とともに確実に把握することができる。
【００４０】
また、前記所定のイベントは、前記送信周波数の変更先の検出を指示する操作を含んでもよい。そして、このような構成によれば、検出指示操作にしたがった周波数スキャンを、専用チューナを要することなく放送信号の継続的な受信を確保しつつ行うことができる。
【００４１】
さらに、前記所定の周波数範囲は、ＶＨＦ帯であり、前記特定の帯域は、ＶＨＦ帯における放送に用いられていない空き帯域であってもよい。そして、このような構成によれば、電波法との関係から送信周波数の変更先として好適な帯域を検出することができる。
【発明の効果】
【００４２】
本発明によれば、コストを抑えつつ、送信周波数の変更先の検出中においても車載用地上アナログ放送受信装置側で放送内容を継続的に視聴することができる。
【図面の簡単な説明】
【００４３】
【図１】本発明に係る車載用テレビ放送送信装置の第１実施形態において、ダイバーシティ合成の確立状態を示す模式図
【図２】車載用テレビ放送送信装置の第１実施形態において、ダイバーシティ合成の解除状態を示す模式図
【図３】車載用テレビ放送送信装置の第１実施形態の動作例を画面の遷移状態を用いて説明するための説明図
【図４】車載用テレビ放送送信装置の第１実施形態においてＶＨＦスキャンの具体的な処理を示すフローチャート
【図５】車載用テレビ放送送信装置の第２実施形態の動作例を画面の遷移状態を用いて説明するための説明図
【図６】車載用テレビ放送送信装置の第２実施形態においてＶＨＦスキャンを中心とした具体的な処理を示すフローチャート
【図７】従来の車載用テレビ放送送信装置の一例を示す模式図
【図８】図７とは異なる従来の車載用テレビ放送送信装置の一例を示す模式図
【発明を実施するための形態】
【００４４】
（第１実施形態）
以下、本発明に係る車載用テレビ放送送信装置としての車載用テレビ放送送信機の第１実施形態について、図１乃至図４を参照して説明する。
【００４５】
なお、図７および図８と基本的構成が同一もしくはこれに類する箇所については、同一の符号を用いて説明する。
【００４６】
図１に示すように、本実施形態における車載用テレビ放送送信機１５は、図７および図８に示した構成と同様に、複数の受信手段としての２つのチューナ３，４と、ダイバーシティ合成手段としてのダイバーシティ合成部９が内蔵されたＯＦＤＭ復調器５と、ＭＰＥＧデコーダ６と、変換手段および送信手段としてのＶＨＦトランスミッタ７とを有している。
【００４７】
したがって、本実施形態においても、図７、図８の構成と同様に、各チューナ３，４によって受信された選択された受信周波数の地上デジタル放送の放送信号が、ＯＦＤＭ復調器５における復調、ダイバーシティ合成部９におけるダイバーシティ合成、ＭＰＥＧデコーダ６におけるデコードおよびＶＨＦトランスミッタ７における変換を順次経た上で、設定された送信周波数のアナログテレビ信号として車載用地上アナログ放送受信機１０に送信されることになる。
【００４８】
なお、各チューナ３，４による地上デジタル放送の受信周波数（チャンネル）の選択は、ＵＨＦ帯に割り当てられたチャンネル（現在は１３ｃｈ〜６２ｃｈ）に該当する地上デジタル放送の放送局に関する情報（例えば、チャンネル番号、周波数、放送局名等）がプリセットされた不図示の車載用テレビ放送送信機１５用のリモコンのプリセットボタン（選局ボタン）の操作等に応じて行われるようになっている。このような受信周波数の選択のための具体的な構成として、図１に示すように、各チューナ３，４には制御部１６が接続されており、この制御部１６は、プリセットボタンの操作をリモコン受光部等を介して検知した上で、操作されたプリセットボタンに対応付けられたチャンネルを選択する指令を各チューナ３，４に出力することによって、各チューナ３，４にチャンネルを選択させるようになっている。プリセットの方法については公知の地上デジタル放送受信機と同様であるので詳細は省略する。
【００４９】
このような構成を備えた上で、更に、車載用テレビ放送送信機１５は、本実施形態に特有の構成を備えている。
【００５０】
すなわち、本実施形態において、第２のチューナ４は、特定の受信手段としてのＵＨＦ帯／ＶＨＦ帯兼用チューナとされている。一方、第１のチューナ３は、特定の受信手段以外の他の受信手段とされており、この第１のチューナ３は、ＵＨＦ帯専用チューナであってもよい。
【００５１】
また、制御部１６は、制御手段として機能し、所定のイベントとしての前述した検出指示操作が行われたことを、この検出指示操作を示す信号の入力によって検知するようになっている。この検出指示操作は、前記リモコンの専用ボタン（ＶＨＦスキャンの実行指示ボタン）を操作することによって行うことができるようにしてもよい。そして、制御部１６は、検出指示操作を検知したことを契機として、第２のチューナ４を用いたダイバーシティ合成を解除するようにダイバーシティ合成部９を制御（以下、解除制御）するようになっている。この解除制御は、例えば、図２に示すように、ダイバーシティ合成部９における合成器９ｂと第２のチューナ４との間に配設されたスイッチ９ｃを、合成器９ｂ側にオンされた状態（図１）から制御部１６側にオンされた状態（図２）へと切り替えることを指示する制御信号をダイバーシティ合成部９に出力することによって行ってもよい。ここで、図１には、ダイバーシティ合成が確立された状態のダイバーシティ合成部９が示されており、一方、図２には、ダイバーシティ合成が解除された状態のダイバーシティ合成部９が示されている。なお、本実施形態においては、チューナ３，４が２つのため、制御部１６の解除制御によってダイバーシティ合成が完全に解除されることになるが、例えば、チューナが４つ（内、第１のチューナ３が３つ）の場合には、解除制御によって第２のチューナ４がダイバーシティ合成の対象から除外された後にも、依然として残余のチューナによってダイバーシティ合成が確立され続けるようにしてもよい。
【００５２】
さらに、本実施形態において、制御部１６は、第２のチューナ４とともにスキャン手段を構成している。すなわち、制御部１６は、解除制御によってダイバーシティ合成が解除されると、第２のチューナ４を用いて、周波数スキャンとしてのＶＨＦ帯（所定の周波数範囲）をサーチ先としたＶＨＦスキャンを行うようになっている。このＶＨＦスキャンにおいては、制御部１６が、第２のチューナ４に対して、ＶＨＦ帯に割り当てられたチャンネル（現在は１ｃｈ〜１２ｃｈ）を例えばチャンネル番号の昇順に順次選局することを指示する制御信号（ＶＨＦスキャン制御信号）を出力し、この制御信号に応じて第２のチャンネル４によって順次選局されるチャンネルの電界強度を制御部１６によって選局の都度取得して記憶していく。この過程で、制御部１６は、選局されたチャンネルの電界強度が閾値以下であるか否かをチャンネルごとに判定し、この判定において肯定的な判定結果が得られたチャンネルについては、送信周波数（チャンネル）の変更先として利用可能な特定の帯域としての空きチャンネル（空き帯域）と決定する。一方、制御部１６は、当該判定において否定的な判定結果が得られたチャンネルについては、送信周波数の変更先として利用できない妨害電波が存在する妨害チャンネルと決定する。
【００５３】
さらにまた、本実施形態において、制御部１６は、変更手段として機能し、ＶＨＦスキャンの完了後に、ＶＨＦスキャンによって検出された空きチャンネルをＶＨＦトランスミッタ７に設定されている送信周波数に代えて新たな送信周波数としてＶＨＦトランスミッタ７に設定し直すことによって、送信周波数の変更を行うようになっている。なお、ＶＨＦトランスミッタ７への送信周波数の初期設定は、リモコン操作等のユーザ操作によって制御部１６が行うようにしてもよい。
【００５４】
一方、ＶＨＦスキャン期間中に、第１のチューナ３は、ＶＨＦスキャンの開始直前に受信していた地上デジタル放送の放送信号を引き続き受信（以下、継続受信）するようになっている。ただし、このとき、第１のチューナ３の受信周波数を変更するための操作（例えば、チャンネル切り替えや系列局サーチ）は行われないことを前提とする。この継続受信は、ＶＨＦスキャン期間の終了後も、送信周波数が変更されるまでの間は更に継続させてもよい。この継続受信された放送信号は、ＯＦＤＭ復調器５におけるＯＦＤＭ復調およびＭＰＥＧデコーダ６におけるデコードを経た上でＶＨＦトランスミッタ７に入力され、このＶＨＦトランスミッタ７において、ＶＨＦスキャンの開始直前に設定されていたままの送信周波数（変更前の送信周波数）のアナログテレビ信号に変換されるようになっている。変換されたアナログテレビ信号は、ＶＨＦトランスミッタ７によって送信用アンテナ８を介して車載用地上アナログ放送受信機１０に送信される。
【００５５】
このような構成によれば、第２のチューナ４を地上デジタル放送のダイバーシティ受信およびＶＨＦスキャンの双方に選択的に利用することができるとともに、ＶＨＦスキャンの期間中に、第１のチューナ３に地上デジタル放送を引き続き受信させることができる。これにより、ＶＨＦスキャン専用のチューナを要することなく、ＶＨＦスキャン期間中に、この期間の開始直前まで車載用地上アナログ放送受信機１０側で視聴していた地上デジタル放送の放送内容（アナログテレビ信号の映像・音声）を継続して視聴することができる。なお、本実施形態において、当該継続して視聴される放送内容は、ダイバーシティ受信ではなくシングル受信によるものであるので、通常はワンセグ放送に対応する放送内容となることが多い。しかし、本来、ＶＨＦスキャンは、放送内容（映像・音声）にノイズが混じっていることを確認したユーザの検出指示操作等によって実行されるものであるので、元々ノイズ混じりのフルセグ放送に対応する放送内容がワンセグ放送に対応する放送内容に切り替わったとしても、視聴品位の劣化が著しくなるわけではない。なお、フルセグ放送およびワンセグ放送のいずれに対応する放送内容が視聴されるかについては、制御部１６が、チューナ３，４の受信状態（例えば、電界強度やＣＮ比）に基づいて、ＭＰＥＧデコーダ６に対してデコードすべき放送信号の階層（フルセグ／ワンセグ）を指定する制御を行うことによって決定すればよい。
【００５６】
上記構成に加えて、さらに、本実施形態において、制御部１６は、前述のようにしてＶＨＦトランスミッタ７に設定されている送信周波数の変更を行った後に、第２のチューナ４を用いたダイバーシティ合成を再開（再確立）するようにダイバーシティ合成部９を制御するようになっている。この制御は、例えば、図２に示したように制御部１６側にオンされた状態のスイッチ９ｃを再び合成器９ｂ側にオンされた状態に復帰させるための制御信号をダイバーシティ合成部９に出力することによって行ってもよい。
【００５７】
このような構成によれば、送信周波数が変更された後には、再びダイバーシティ合成によって画質および音質が高い放送内容（フルセグ）を視聴することが可能となる。
【００５８】
上記構成に加えて、更に、本実施形態において、車載用テレビ放送送信機１５は、図１および図２に示すように、第１の画像生成手段としての画像生成部１７を有している。この画像生成部１７は、ＶＨＦスキャンが完了したことを契機として、第１の画像としての検出通知／変更案内画像を生成し、生成された検出通知／変更案内画像をＶＨＦトランスミッタ７に出力するようになっている。ここで、検出通知／変更案内画像は、ＶＨＦスキャンによって空きチャンネルが検出されたことを当該空きチャンネルとともに通知し、なおかつ、送信周波数を当該空きチャンネルに変更する変更操作を促すための画像である。ＶＨＦトランスミッタ７は、画像生成部１７から出力された検出通知／変更案内画像を、ＮＴＳＣ方式のアナログ信号に変換し、更に、この変換されたアナログ信号を、アナログ変調によって、ＶＨＦスキャンの開始直前にＶＨＦトランスミッタ７に設定されていたままの送信周波数と同一の送信周波数のアナログ映像信号（第１のアナログ映像信号）に変換するようになっている。また、ＶＨＦトランスミッタ７は、このようにして変換された検出通知／変更案内画像のアナログ映像信号を、車載用地上アナログ放送受信機１０に送信するようになっている。車載用地上アナログ放送受信機１０側では、この送信された検出通知／変更案内画像のアナログ映像信号を、アナログテレビ信号の受信周波数と同一の受信周波数（変更前の受信周波数）で受信することができ、受信された当該アナログ映像信号に該当する検出通知／変更案内画像を確実に表示することができる。そして、制御部１６は、このような検出通知／変更案内画像を見たユーザが送信チャンネルの変更操作を行うことを待って、この変更操作に応じた送信チャンネルの変更を行うようになっている。なお、このような送信チャンネルの変更操作は、前記リモコンの操作によって行うことができるようにしてもよい。また、ＶＨＦスキャンによって検出された空きチャンネルが複数存在する場合には、検出通知／変更案内画像は、複数の空きチャンネルを通知する内容となるが、この場合、ユーザは、通知された複数の空きチャンネルから所望の空きチャンネルを選択して変更操作を行うことになる。さらに、前述のように、ＶＨＦスキャンの完了後においても送信周波数の変更までの期間さらに放送信号の継続受信を続ける場合には、検出通知／変更案内画像を当該放送信号に対応する放送映像に重畳された状態で表示されるように構成すればよい。この場合には、ＶＨＦトランスミッタ７において、当該放送信号と検出通知／変更案内画像とを合成した上で、合成された信号をアナログテレビ信号に変換させればよい。このような場合には、検出通知／変更案内画像のアナログ映像信号が、アナログテレビ信号に混在されることになる。
【００５９】
このような構成によれば、車載用地上アナログ放送受信機１０側で検出通知／変更案内画像を適切に表示させることができるので、送信周波数の変更先が検出されたことをユーザに確実に把握させた上で、ユーザの意思を反映させた送信周波数の変更を行うことができる。
【００６０】
なお、画像生成部１７は、ＶＨＦスキャンの開始を契機として、ＶＨＦスキャン中であることを通知するための画像（以下、スキャン通知画像）を生成してＶＨＦトランスミッタ７に出力してもよい。この場合、ＶＨＦトランスミッタ７は、画像生成部１７から出力されたスキャン通知画像を、ＶＨＦスキャン期間中に継続受信される放送信号と合成した上でＮＴＳＣ方式のアナログ信号に変換し、更に、この変換されたアナログ信号を、アナログ変調によって、ＶＨＦスキャンの開始直前にＶＨＦトランスミッタ７に設定されていたままの送信周波数と同一の送信周波数のアナログテレビ信号に変換すればよい。この場合、車載用地上アナログ放送受信機１０側では、継続受信される放送信号の放送映像とともに、スキャン通知画像を表示することができる。ただし、このようなスキャン通知画像を表示させる場合においても、その大きさ（画面全体に対する占有面積比率）は、本発明の目的である放送信号の継続的な視聴を妨げない程度の十分に小さな大きさに制限することが望ましい。
【００６１】
なお、制御部１６およびＭＰＥＧデコーダ６は、例えば、ＣＰＵと、このＣＰＵの実行プログラムが記憶されたＲＯＭと、ＣＰＵの処理結果を一時的に保存するＲＡＭとによって構成してもよい。
【００６２】
次に、図３は、本実施形態における車載用テレビ放送送信機１５の動作の一例を、車載用地上アナログ放送受信機１０側に表示される画面の遷移例とともに示したものである。
【００６３】
なお、図３の初期状態において、車載用テレビ放送送信機１５は、第１のチューナ３および第２のチューナ４の双方を用いて地上デジタル放送の視聴局の放送信号をダイバーシティ受信しており、受信された放送信号は、ＶＨＦトランスミッタ７に設定されている送信周波数のアナログテレビ信号に変換されて車載用地上アナログ放送受信機１０に送信されているものとする。そして、車載用地上アナログ放送受信機１０側では、送信周波数と同一の受信周波数でアナログテレビ信号が受信されており、このアナログテレビ信号に含まれる映像の表示および音声の出力が行われているものとする。ユーザは、この映像および音声を介して、地上デジタル放送の視聴局の放送内容を視聴している。
【００６４】
そして、このような初期状態から、車載用地上アナログ放送受信機１０側で視聴される映像および音声にノイズが含まれていることが確認されると、ユーザは、図３のステップ１（ＳＴ１）に示すような検出指示操作を行う。
【００６５】
この検出指示操作により、制御部１６の解除制御によるダイバーシティ合成の解除（図２参照）が行われ、その上で、制御部１６による第２のチューナ４を用いたＶＨＦスキャンが開始される。
【００６６】
このＶＨＦスキャンの期間中には、前述した第１のチューナ３による継続受信が確保されることによって、ステップ２（ＳＴ２）に示すような第１の画面２０が車載用地上アナログ放送受信機１０側で表示される。この第１の画面２０は、初期状態における視聴局と同局の放送内容が表示されたものとなっている。なお、第１の画面２０には、前述した画像生成部１７の動作によって、スキャン通知画像２１が重畳されている。
【００６７】
次いで、ＶＨＦスキャンが完了すると、ステップ３（ＳＴ３）に示すような第２の画面２２が車載用地上アナログ放送受信機１０側で表示される。この第２の画面２２は、ＶＨＦスキャン完了後においても前述した第１のチューナ３による継続受信が確保されることによって、初期状態における視聴局と同局の放送内容が表示されたものとなっている。また、第２の画面２２には、前述した画像生成部１７の動作によって、検出通知／変更案内画像２３が重畳されている。この検出通知／変更案内画像２３は、車載用テレビ放送送信機１５用のリモコンによる画面操作により、ＶＨＦスキャンにおいて検出された全ての空きチャンネル（図３におけるＶＨＦ２ｃｈ等）を確認できるものとなっている。
【００６８】
次いで、ユーザが、検出通知／変更案内画像２３に示された空きチャンネルに基づいて、車載用テレビ放送送信機１５に対する変更操作を行うと、ＶＨＦトランスミッタ７に設定されている送信周波数が、変更操作に応じた新たな送信周波数に変更される。この変更操作は、検出通知／変更案内画像２３に対する画面操作によって行うようにしてもよい。その上で、車載用地上アナログ放送受信機１０側では、ステップ４（ＳＴ４）に示すような第３の画面２４が表示される。この第３の画面２４は、車載用テレビ放送送信機１５側の送信周波数が車載用地上アナログ放送受信機１０側の受信周波数と異なる周波数に変更されたことによる砂嵐画面である。
【００６９】
次いで、ステップ５（ＳＴ５）において、車載用地上アナログ放送受信機１０の受信周波数を、ステップ４（ＳＴ４）において変更された車載用テレビ放送送信機１５の送信周波数と同一周波数に変更する。この受信周波数の変更は、車載用地上アナログ放送受信機１０側で行われる通常のチャンネル切り替え操作によるものであってもよいし、シーク動作を実施することによるものであってもよい。これにより、初期状態における視聴局と同局の放送内容を、ノイズが解消された良好な視聴品位で視聴することができる。
【００７０】
次に、図４は、ＶＨＦスキャンの具体的な処理を示したフローチャートである。
【００７１】
すなわち、ＶＨＦスキャンにおいては、ユーザの検出指示操作を契機としてＶＨＦスキャンを開始した上で、まず、図４のステップ１１（ＳＴ１１）において、制御部１６により、スキャン対象として、ＶＨＦ帯に割り当てられている１つのチャンネルを設定し、設定されたチャンネルを第２のチューナ４によって選局させる。
【００７２】
次いで、ステップ１２（ＳＴ１２）において、制御部１６により、ステップ１１（ＳＴ１１）において選局されたチャンネルにＯＦＤＭ信号（すなわちデジタル放送信号）が検出されたか否かを判定する。そして、ステップ１２（ＳＴ１２）において肯定的な判定結果が得られた場合には、ステップ１３（ＳＴ１３）に進み、否定的な判定結果が得られた場合には、ステップ１７（ＳＴ１７）に進む。
【００７３】
ここで、ステップ１３（ＳＴ１３）に進んだ場合には、このステップ１３（ＳＴ１３）において、制御部１６により、ステップ１１（ＳＴ１１）において選局されたチャンネルのデジタル電界強度が閾値以下であるか否かを判定する。そして、ステップ１３（ＳＴ１３）において肯定的な判定結果が得られた場合には、ステップ１４（ＳＴ１４）に進み、否定的な判定結果が得られた場合には、ステップ１５（ＳＴ１５）に進む。
【００７４】
一方、ステップ１７（ＳＴ１７）に進んだ場合には、このステップ１７（ＳＴ１７）において、制御部１６により、ステップ１１（ＳＴ１１）において選局されたチャンネルのアナログ電界強度が閾値以下であるか否かを判定する。そして、ステップ１７（ＳＴ１７）において肯定的な判定結果が得られた場合には、ステップ１４（ＳＴ１４）に進み、否定的な判定結果が得られた場合には、ステップ１５（ＳＴ１５）に進む。なお、ステップ１７（ＳＴ１７）は、地上アナログ放送の停波後は不要となる。
【００７５】
次いで、ステップ１４（ＳＴ１４）において、制御部１６により、ステップ１１（ＳＴ１１）において選局されたチャンネルを空きチャンネルと決定してステップ１６（ＳＴ１６）に進む。
【００７６】
一方、ステップ１５（ＳＴ１５）においては、制御部１６により、ステップ１１（ＳＴ１１）において選局されたチャンネルを妨害チャンネルと決定してステップ１６（ＳＴ１６）に進む。
【００７７】
次いで、ステップ１６（ＳＴ１６）において、制御部１６により、全チャンネルのスキャンが完了したか否かを判定する。そして、ステップ１６（ＳＴ１６）において肯定的な判定結果が得られた場合には、ＶＨＦスキャンを終了（完了）させ、否定的な判定結果が得られた場合には、ステップ１１（ＳＴ１１）に戻る。ステップ１１（ＳＴ１１）に戻る場合には、スキャン対象として新たな１つのチャンネルを設定する。
【００７８】
（第２実施形態）
次に、車載用テレビ放送送信機の第２実施形態について、図５および図６を参照して説明する。
【００７９】
なお、本実施形態の車載用テレビ放送送信機は、図１に示した第１実施形態の構成とハードウエアに違いはないので、その構成部を説明するにあたっては、第１実施形態と同一の符号を用いることにする。
【００８０】
本実施形態における車載用テレビ放送送信機１５の第１実施形態との相違点の１つは、制御部１６が、送信周波数の変更を、ＶＨＦスキャンの完了を契機としてユーザ操作を待つことなく自動的に行う点である。このとき、制御部１６は、ＶＨＦスキャンによって検出された空きチャンネルが複数存在する場合には、これら複数の空きチャンネルのうちの所定の優先順位が最上位の１つの空きチャンネルを、変更すべき新たな送信周波数とすればよい。優先順位の典型例としては、電界強度が低い順を挙げることができるが、更に、空きチャンネルの隣接チャンネルの電界強度（隣接妨害）の低さを加味してもよい。
【００８１】
また、本実施形態の第１実施形態との他の相違点は、画像生成部１７によって生成される画像が第１実施形態とは異なる点である。すなわち、本実施形態においては、画像生成部１７が第２の画像生成手段として機能し、ＶＨＦスキャンの完了を契機として、送信周波数をＶＨＦスキャンによって検出された空きチャンネルに変更することを通知するための変更通知画像（第２の画像）を生成するようになっている。この変更通知画像は、ＶＨＦスキャンによって検出された空きチャンネルが複数存在する場合には、送信周波数を前述した所定の優先順位が最上位の１つのチャンネルに変更することを通知する画像となる。また、本実施形態において、ＶＨＦトランスミッタ７は、画像生成部１７によって生成された変更通知画像を、ＶＨＦスキャンの開始直前に設定されていたままの送信周波数と同一の送信周波数のアナログ映像信号（第２のアナログ映像信号と称する）に変換するようになっている。この変更通知画像のアナログ映像信号は、第１実施形態と同様に、アナログテレビ信号に混在されるものであってもよい。さらに、本実施形態において、制御部１６は、ＶＨＦトランスミッタ７によって変換された変更通知画像のアナログ映像信号を車載用地上アナログ放送受信機１０に送信するようになっている。
【００８２】
本実施形態においては、車載用テレビ放送送信機１５に対する送信周波数の変更操作を要しなくなるため、第１実施形態よりも更にユーザの操作負担が軽減されたものとなっている。
【００８３】
次に、図５は、本実施形態の動作の一例を、車載用地上アナログ放送受信機１０側に表示される画面の遷移例とともに示したものであり、この図５は、第１実施形態の図３と同様のものである。図５の図３との違いは、図３において表示されていた検出通知／変更案内画像２３の代わりに変更通知画像３０が表示されている点と、第２の画面２２から第３の画面２４への切り替わりに変更操作を要しない点である。なお、図３における変更通知画像３０は、現在の送信周波数（例えば、１ｃｈ）から空きチャンネルとしての２ｃｈへの変更を通知する内容となっている。
【００８４】
次に、図６は、本実施形態におけるＶＨＦスキャンを中心とした具体的な処理を示したフローチャートであり、この図６は、第１実施形態の図４と同様のものである。図６の図４との違いは、ＶＨＦスキャンの終了後に、ＶＨＦスキャンによって検出された空きチャンネルを新たな送信周波数に決定するステップ１８（ＳＴ１８）を加えた点である。このステップ１８（ＳＴ１８）においては、ＶＨＦスキャンによって検出された空きチャンネルが複数存在する場合には、前述した所定の優先順位が最上位の１つのチャンネルを新たな送信周波数に決定する。
【００８５】
以上述べたように、前述した第１、第２実施形態によれば、第２のチューナ４を地上デジタル放送のダイバーシティ受信およびＶＨＦスキャンの双方に選択的に利用することができるとともに、ＶＨＦスキャンの期間中に第１のチューナ３に地上デジタル放送の継続受信を行わせることができるので、周波数スキャン専用のチューナを要することなく、ＶＨＦスキャン期間中に、この期間の開始直前まで視聴していた放送内容を継続して視聴することができる。
【００８６】
なお、本発明は、前述した実施の形態に限定されるものではなく、本発明の特徴を損なわない限度において種々変更することができる。
【００８７】
例えば、前述した実施形態においては、解除制御のトリガとなる所定のイベントを検出指示操作としているが、これ以外にも、制御部１６が、チューナ４の受信信号から視聴局の視聴に用いられているＶＨＦ帯のチャンネルに所定の電界強度以上の妨害電波が存在していることを自動的に検出するように構成した上で、この妨害電波の検出を所定のイベントの発生としてもよい。
【符号の説明】
【００８８】
３  第１のチューナ
４  第２のチューナ
７  ＶＨＦトランスミッタ
９  ダイバーシティ合成部
１５  車載用テレビ放送送信機
１６  制御部
【図１】
2012119753.tif 000003
【図２】
2012119753.tif 000004
【図４】
2012119753.tif 000005
【図６】
2012119753.tif 000006
【図７】
2012119753.tif 000007
【図８】
2012119753.tif 000008
【図３】
2012119753.tif 000009
【図５】
2012119753.tif 000010